(57)【要約】【課題】資料画像の変種を含む提示を、ブラウザを用いて簡易に実現する。【解決手段】コンピュータ上でブラウザを起動し、ネットワークを介して、予め定めたウエブサーバにアクセスし、コンピュータに接続されたポインティングデバイスを介して指示を入力する。この状態で、ウエブサーバ側に用意されたアプリケーションソフトウェアをブラウザ上で動作させ、アプリケーションソフトウェアの動作によって、ポインティングデバイスから入力した指示に従う個別画像を生成させ、アプリケーションソフトウェアの動作によって、表示用の資料画像を取得して、個別画像を重畳した重畳画像を生成させ、この資料画像または重畳画像を、画像表示部に表示させる。【選択図】図１
2020088548.tif 000002
【特許請求の範囲】
【請求項１】
資料画像を提示する資料提示システムであって、
前記資料画像を取得する画像取得部と、
ネットワークを介して、ウエブサーバにアクセスするブラウザを動作させるコンピュータと、
前記動作しているブラウザを表示する画像表示部と、
を備え、
前記コンピュータは、
接続されたポインティングデバイスを介した指示を入力し、
前記ウエブサーバ側に用意されたアプリケーションソフトウェアを前記ブラウザ上で動作させ、
前記アプリケーションソフトウェアの動作によって、前記ポインティングデバイスから入力した指示に従う個別画像を生成させ、
前記アプリケーションソフトウェアの動作によって、前記画像取得部が取得した前記資料画像に、前記個別画像を重畳した重畳画像を生成させ、
前記資料画像または前記重畳画像を、少なくとも前記画像表示部に表示させる
資料提示システム。
【請求項２】
前記画像取得部は、前記コンピュータに有線または無線で接続され、ビデオカメラを備えた撮像装置である請求項１に記載の資料提示システム。
【請求項３】
前記アプリケーションソフトウェアは、前記ブラウザが動作しているコンピュータに前記撮像装置が接続されていると判断した場合には、前記撮像装置の前記ビデオカメラが撮像している画像を、自動的に前記資料画像として扱う
請求項２に記載の資料提示システム。
【請求項４】
前記画像取得部は、前記ポインティングデバイスを介した指示に従って、
［１］前記ネットワークを介して接続されたウエブサーバ、
［２］前記コンピュータ、および
［３］前記コンピュータに接続されたメモリカード
の少なくとも一つに保存された画像を取得する、請求項１から請求項３のいずれか一項に記載の資料提示システム。
【請求項５】
請求項１から請求項４のいずれか一項に記載の資料提示システムであって、
前記コンピュータは、前記画像表示部とは異なる表示装置が接続されていることを検出した場合には、前記ブラウザの表示領域を、前記表示装置に全画面表示する資料提示システム。
【請求項６】
請求項１から請求項５のいずれか一項に記載の資料提示システムであって、
前記コンピュータに、前記ブラウザがアクセスする前記ウエブサーバのアドレスを自動取得させるアドレス取得部を備える
資料提示システム。
【請求項７】
請求項１から請求項６のいずれか一項に記載の資料提示システムであって、
前記個別画像は、前記ポインティングデバイスが指定した軌跡に従って描画された画像、および前記ポインティングデバイスを介した指示により選択された画像の少なくともいずれか一方である
資料提示システム。
【請求項８】
請求項１から請求項７のいずれか一項に記載の資料提示システムであって、
前記アプリケーションソフトウェアは、前記重畳画像を、前記コンピュータおよび前記ウエブサーバの少なくともいずれか一方に用意された不揮発的な記憶装置に記憶させる資料提示システム。
【請求項９】
資料を画像として提示する資料提示方法であって、
コンピュータ上でブラウザを起動し、ネットワークを介して、予め定めたウエブサーバにアクセスし、
前記コンピュータに接続されたポインティングデバイスを介して指示を入力し、
前記ウエブサーバ側に用意されたアプリケーションソフトウェアを前記ブラウザ上で動作させ、
前記アプリケーションソフトウェアの動作によって、前記ポインティングデバイスから入力した指示に従う個別画像を生成させ、
前記アプリケーションソフトウェアの動作によって、表示用の資料画像を取得して、前記個別画像を重畳した重畳画像を生成させ、
前記資料画像または前記重畳画像を、画像表示部に表示させる
資料提示方法。
【発明の詳細な説明】
【技術分野】
【０００１】
本開示は、資料を画像で提示する技術に関する。
【背景技術】
【０００２】
従来から、カメラを搭載した資料提示装置などをテレビやプロジェクタに接続し、画像を提示するシステムが用いられている。こうした画像提示システムは、例えば教材を受講者に提示したり、会議で共通の資料を参加者に提示したりするといった目的で用いられる。資料を撮像して提示する際には、画像を拡大したり、回転したり、場合によっては資料である画像の上にマーキングしたり、書き込んだりすることもあるため、専用の画像提示用ソフトウェア（専用アプリケーション）が用いられることがある。専用のアプリケーションを資料提示装置やプロジェクタに予め用意するものや、資料提示装置やプロジェクタに接続するコンピュータ側に用意するものが、従来から知られている（例えば特許文献１）。
【先行技術文献】
【特許文献】
【０００３】
【特許文献１】特開２０１２−１３８６６６号公報
【発明の概要】
【発明が解決しようとする課題】
【０００４】
しかしながら、こうした専用のソフトウェアを資料提示装置やプロジェクタ側に設けようとすると、機器の構成上、機能が制限されてしまう。また、新しい機能を追加するといったことが困難になる。かといって専用のソフトウェアを、画像提示を行なおうとするコンピュータ側で動作させると、ソフトウェアのインストールといった作業が必要になってしまう。また、資料提示を行なう場所（例えば会議室や教室）で用いるコンピュータと作業をする場所（例えば、職場や自宅）のコンピュータとが異なる場合には、両方のコンピュータにソフトウェアをインストールしなければならない。
【課題を解決するための手段】
【０００５】
本開示は、以下の態様又は適用例として実現することが可能である。
【０００６】
（１）第１の実施態様としての資料提示システムは、資料画像を提示するものであり、この資料提示システムは、前記資料画像を取得する画像取得部と、ネットワークを介して、ウエブサーバにアクセスするブラウザを動作させるコンピュータと、前記動作しているブラウザを表示する画像表示部と、を備える。ここで、前記コンピュータは、接続されたポインティングデバイスを介した指示を入力し、前記ウエブサーバ側に用意されたアプリケーションソフトウェアを前記ブラウザ上で動作させ、前記アプリケーションソフトウェアの動作によって、前記ポインティングデバイスから入力した指示に従う個別画像を生成させ、前記アプリケーションソフトウェアの動作によって、前記画像取得部が取得した前記資料画像に、前記個別画像を重畳した重畳画像を生成させ、前記資料画像または前記重畳画像を、少なくとも前記画像表示部に表示させる。
【０００７】
こうした資料提示システムによれば、コンピュータや画像取得部に専用のアプリケーションソフトウェアをインストールする必要がなく、使用者は容易に資料画像を扱って、資料提示を行なうことができる。
【０００８】
（２）こうした資料提示システムにおいて、前記画像取得部は、前記コンピュータに有線または無線で接続され、ビデオカメラを備えた撮像装置としてもよい。こうすれば、容易に提示資料に用いる静止画や動画を利用することができる。
【０００９】
（３）こうした資料提示システムにおいて、前記アプリケーションソフトウェアは、前記ブラウザが動作しているコンピュータに前記撮像装置が接続されていると判断した場合には、前記撮像装置の前記ビデオカメラが撮像している画像を、自動的に前記資料画像として扱うものとしてもよい。こうすれば、直ぐに撮像装置からの画像を利用することができる。
【００１０】
（４）こうした資料提示システムにおいて、前記画像取得部は、前記ポインティングデバイスを介した指示に従って、［１］前記ネットワークを介して接続されたウエブサーバ、［２］前記コンピュータ、および［３］前記コンピュータに接続されたメモリカードの少なくとも一つに保存された画像を取得するものとしてもよい。こうすれば、多様な画像を利用することができる。
【００１１】
（５）こうした資料提示システムにおいて、前記コンピュータは、前記画像表示部とは異なる表示装置が接続されていることを検出した場合には、前記ブラウザの表示領域を、前記表示装置に全画面表示するものとしてもよい。画像表示部とは別に設けられた表示装置は、資料を共有するためのものである可能性が高いからである。こうすれば、わざわざ設定を変更しなくても、全画面表示にすることができ、資料画像の共有が容易となる。
【００１２】
（６）こうした資料提示システムにおいて、前記コンピュータに、前記ブラウザがアクセスする前記ウエブサーバのアドレスを自動取得させるアドレス取得部を備えるものとしてもよい。こうすれば、コンピュータにブラウザを用いてアクセスさせるウエブサーバのアドレスをいちいちキーボード等から入力する必要がない。
【００１３】
（７）こうした資料提示システムにおいて、前記個別画像は、前記ポインティングデバイスが指定した軌跡に従って描画された画像、および前記ポインティングデバイスを介した指示により選択された画像の少なくともいずれか一方としてもよい。こうすれば、資料提示システムにおいて様々な画像を資料画像の一部または全部として提示することができる。
【００１４】
（８）こうした資料提示システムにおいて、前記アプリケーションソフトウェアは、前記重畳画像を、前記コンピュータおよび前記ウエブサーバの少なくともいずれか一方に用意された不揮発的な記憶装置に記憶させるものとしてもよい。こうすれば、重畳画像を保存しておけるので、後で参照したり、あるいは呼び出したりして、資料画像として提示させることができる。
【００１５】
（９）第２の態様として、資料を画像として提示する資料提示方法が提供される。この資料提示方法は、コンピュータ上でブラウザを起動し、ネットワークを介して、予め定めたウエブサーバにアクセスし、前記コンピュータに接続されたポインティングデバイスを介して指示を入力し、前記ウエブサーバ側に用意されたアプリケーションソフトウェアを前記ブラウザ上で動作させ、前記アプリケーションソフトウェアの動作によって、前記ポインティングデバイスから入力した指示に従う個別画像を生成させ、前記アプリケーションソフトウェアの動作によって、表示用の資料画像を取得して、前記個別画像を重畳した重畳画像を生成させ、前記資料画像または前記重畳画像を、画像表示部に表示させる。この資料提示方法によっても、上述の資料提示装置と同様の作用効果を奏することができる。
【図面の簡単な説明】
【００１６】
【図１】実施形態の資料提示システムの概略構成図。
【図２】第１実施形態の資料提示システムの動作の概略を示すフローチャート。
【図３】設定取得・設定処理の概要を示すフローチャート。
【図４】ブラウザの一部にコマンドエリアが表示された一例を示す説明図。
【図５】ツールエリアからツールの１つを選択した場合の表示の一例を示す説明図。
【図６】画像表示の他の例を示すフローチャート。
【図７】第２実施形態における資料提示システムの動作の概略を示すフローチャート。
【発明を実施するための形態】
【００１７】
Ａ．第１実施形態：
図１は、第１実施形態の資料提示システム１００の概略構成図である。図示するように、この資料提示システム１００は、コンピュータ１０、画像表示部２０、コンピュータ１０にネットワークＮＷを介して接続されたウエブサーバ５０を備える。コンピュータ１０は、周知のＣＰＵ１１、メモリ１２、通信部１４、入出力部１６を備える。入出力部１６には、ポインティングデバイスの一種であるマウス１８、カードリーダ１９、画像をスクリーン３２上に表示する表示装置としてのプロジェクタ３０、動画を撮像可能なビデオカメラ４１を備えた撮像装置４０が接続されている。カードリーダ１９は、図示しない汎用のＵＳＢポートに接続されている。コンピュータ１０はＵＳＢポートに接続されたカードリーダ１９を用いて、カードリーダ１９に装着されたメモリカードＳＤに記憶された画像などのコンテンツを読み出すことができる。
【００１８】
ビデオカメラ４１を備えた撮像装置４０は、本実施形態では、コンピュータ１０に有線接続するものとしたが、無線ＬＡＮ等を用いた無線接続でも差し支えない。この撮像装置４０は、画像取得部として機能するが、後述するように、本実施形態では、メモリカードＳＤ内のコンテンツとしての画像を取得することも画像取得部に相当する。
【００１９】
コンピュータ１０には、画像表示部２０が接続されており、コンピュータ１０上で動作するＯＳやウエブブラウザ２４などの画像が表示される。ウエブブラウザ２４は、ネットワークＮＷを介して、ウエブサーバ５０にアクセスする。ウエブサーバ５０は、HTTPに則り、コンピュータ１０上で動作するウエブブラウザ２４に対して、HTMLやオブジェクト（画像など）の表示を提供する。ウエブサーバ５０には、ウエブブラウザ２４からのリクエストを受けて動作するアプリケーションソフトウェア５２や、アプリケーションソフトウェア５２による各種設定を記憶する設定記憶部５４等も設けられている。また、ウエブサーバ５０には、種々のクラウドサービスを提供するクラウドサービスソフトウェアも用意されている。こうしたクラウドサービスソフトウェアとしては、グーグルクラウドサービスプラットフォーム（ＧＣＰ：商標）等が知られている。
【００２０】
次に、この資料提示システム１００の動作について説明する。図２は、資料提示システム１００の動作の概略を示すフローチャートである。図示左欄は、コンピュータ１０側の処理を示し、図示右欄は、ウエブサーバ５０側の処理を示す。ユーザは、まずコンピュータ１０においてブラウザを起動し（ステップＳ１００）、専用のＵＲＬにアクセスする（ステップＳ１１０）。専用のＵＲＬは、ウエブサーバ５０に用意された特定のアドレスであり、コンピュータ１０において、ユーザが手動で指定する。一度アクセスしてブックマーク等に登録しておけば、次回からブックマークなどを利用して簡易に指定することができる。
【００２１】
コンピュータ１０がブラウザを起動して、専用のＵＲＬにアクセスすると、ウエブサーバ５０側では、アプリケーションソフトウェア５２を起動する（ステップＳ２１０）。アプリケーションソフトウェア５２は、ブラウザを介して、コンピュータ１０側のハードウェア資源、例えばマウス１８やカードリーダ１９などとのデータのやり取りも可能である。従って、アプリケーションソフトウェア５２は、コンピュータ１０を操作する使用者のマウス１８を用いた指示を受け取りことも可能である。アプリケーションソフトウェア５２が起動すると、コンピュータ１０とウエブサーバ５０とは、一体となって、資料提示システム１００として、画像を描画し表示する処理（ステップＳ２５０）を行なう。
【００２２】
この処理（ステップＳ２５０）では、まずウエブサーバ５０側で、設定取得・設定処理を行なう（ステップＳ２２０）。この処理の詳細を図３に示した。設定取得・設定処理では、コンピュータ１０に接続されている機器などを確認し、資料提示システム１００の初期設定を行なう。まず、コンピュータ１０にカメラが接続されているか否かの判断を行なう（ステップＳ３００）。カメラとして、撮像装置４０が接続されていれば、この撮像装置４０のビデオカメラ４１が撮像した映像を、ウエブブラウザ２４の背景画像として設定する（ステップＳ３１０）。
【００２３】
他方、カメラが検出されなければ（ステップＳ３００：「ＮＯ」）、カードリーダ１９にメモリカードＳＤが装着されているかを検出する（ステップＳ３２０）。装着されていれば、メモリカードＳＤ内のコンテンツ、例えば静止画像を選択する処理を行なう（ステップＳ３３０）。静止画像の選択は、メモリカードＳＤ内のファイル一覧を画像表示部２０にダイアローグボックス表示し、マウス１８によりその一つを選択させることにより行なえばよい。ファイル一覧の表示は、ファイル名によってもよいし、サムネイルを表示することによってもよい。ファイル一覧を表示する際には、拡張子により、ＪＰＥＧなどの画像のみを一覧表示するようにしてもよい。一覧するファイルは、予め定めたフォルダに存在するものに限ってもよい。あるいは最近アクセスしたファイルを一覧表示するようにしてもよい。
【００２４】
コンテンツが選択されれば、選択したコンテンツを、ウエブブラウザ２４の背景画像として設定する（ステップＳ３４０）。他方、メモリカードＳＤが検出されなれば（ステップＳ３２０：「ＮＯ」）、表示すべき映像や画像はないとして、これから描画を行なうホワイトボードのイメージを背景として設定する（ステップＳ３５０）。
【００２５】
上記のいずれかの処理（ステップＳ３１０，Ｓ３４０，Ｓ３５０）を行なうことで、ウエブブラウザ２４の背景画像を設定した後、モニタが接続されているかを検出する（ステップＳ３６０）。モニタとは、画像表示部２０とは別に、コンピュータ１０に接続された表示装置のことである。モニタが検出されれば、ウエブブラウザ２４の表示を、このモニタに全画面表示する（ステップＳ３７０）。図１に示したシステムでは、コンピュータ１０にプロジェクタ３０が接続されているので、これをモニタとして検出し、プロジェクタ３０にウエブブラウザ２４を全画面表示する。従って、使用者は、コンピュータ１０に接続された手元の画像表示部２０を見ながら、マウス１８などを操作し、会議等の参加者は、プロジェクタ３０に表示されたウエブブラウザ２４よる画面のみを見ることができる。このとき、プロジェクタ３０に全画面表示されるのは、ウエブブラウザ２４の画面そのものであってもよいし、ウエブブラウザ２４の画面のうち、画像の表示に直接係わる部分だけでもよい。画像の表示に直接関わらない部分とは、ウエブブラウザ２４のタイトルバーや後述する描画用のツールなどの表示領域などである。
【００２６】
こうして資料提示システム１００における撮像装置４０やメモリカードＳＤ、あるいはプロジェクタ３０等の装着の有無などの設定を取得し、またこれらの画像を表示させ、あるいは全画面表示にするなどの設定処理を行なって、図３に示した設定取得・設定処理を一旦終了する。なお、図３に示した処理では、撮像装置４０が接続されていれば、メモリカードＳＤが装着されていても、優先的にビデオカメラ４１からの映像が表示されたが、この順序は逆でもよいし、優先順位を設定できるようにしても良い。また、この表示は、後述するように、ユーザにより任意のタイミングで切替可能である。
【００２７】
設定取得・設定処理（ステップＳ２２０）の後、資料提示システム１００は、コンピュータ１０側でのポインティングデバイスであるマウス１８からの入力を取得して、ウエブサーバ５０側のアプリケーションソフトウェア５２が入力・表示出力処理を行ない（ステップＳ２３０）、これを受けて、コンピュータ１０側で、画像の入力・編集・表示処理を行なう（ステップＳ１３０）。ここでは、便宜上、コンピュータ１０側とウエブサーバ５０側との処理に分けて記載したが、実際には、ウエブサーバ５０上で動作するアプリケーションソフトウェア５２が、実際の処理を行ない、コンピュータ１０は、コンピュータ１０に接続されたマウス１８などのデバイスからの信号の入力や、コンピュータ１０に接続された画像表示部２０やプロジェクタ３０への画像表示用の信号の出力など、入出力インタフェースの部分を司る。つまり、コンピュータ１０では、汎用性のウエブブラウザ２４が動作しているに過ぎず、特別な画像表示や処理用のプログラムをインストールして動作させる必要がない。
【００２８】
コンピュータ１０上で動作するウエブブラウザ２４を介して、ウエブサーバ５０上のアプリケーションソフトウェア５２が行なう処理については、後で詳しく説明する。こうした画像入力・編集・表示処理を行なった後、必要があれば、ユーザは、コンピュータ１０側でウエブブラウザ２４を介して、入力しあるいは編集した画像の保存を行なう（ステップＳ１４０）。画像は、コンピュータ１０に備えられた不揮発的なメモリ、ハードディスクまたはウエブサーバ５０側の不揮発的なメモリ、例えば図示しないハードディスクなどに記憶される。不揮発的なメモリとしては、ハードディスク以外に、ＳＳＤやフュージョンドライブ、電源バックアップされた半導体メモリなどがあり得る。
【００２９】
他方、ウエブサーバ５０側で動作するアプリケーションソフトウェア５２は、ステップＳ２２０で行なった設定処理の結果が、コンピュータ１０上で動作するウエブブラウザ２４を介した画像編集などの処理により変更されたかを判断し（ステップＳ２４０）、設定変更があれば、新たな設定を学習する処理を行なう（ステップＳ２５０）。
【００３０】
上述したコンピュータ１０側の処理（ステップＳ１２０ないしＳ１４０）およびウエブサーバ５０側の処理（ステップＳ２２０ないしＳ２５０）は、コンピュータ１０上で動作するウエブブラウザ２４を介して、ユーザがアプリケーションソフトウェア５２の実行を明示的に終了するまで、繰り返し行なわれる。
【００３１】
コンピュータ１０上で動作するウエブブラウザ２４を介して、ウエブサーバ５０側のアプリケーションソフトウェア５２が実行されることで実現される処理の実例について、説明する。図４，図５は、コンピュータ１０上のウエブブラウザ２４が、ウエブサーバ５０側で専用のアプリケーションソフトウェア５２を実行することにより行なう表示の一例を示す。ウエブブラウザ２４は、図４に例示するように、画像表示用の描画エリアＤＡの下部に、ユーザが実行可能な種々の処理を選択するボタンや現在の設定を示す画像マークが配列されたコマンドエリアＣＡを備える。もとよりこうしたコマンドエリアＣＡは、ウエブブラウザ２４の任意の位置に表示可能である。フローティングパレットのような形式で表示してもよい。また、ユーザの利便性を考慮して、この例では、コマンドエリアは常時表示するものとしているが、通常は表示せず、マウス１８や図示しないキーボードなどの入力デバイスを操作することで、その都度表示されるものとしてもよい。マウスポインタが、ウエブブラウザ２４の表示画面の下端などに達した時に、自動的に表示されるようにしてもよい。
【００３２】
コマンドエリアＣＡには、種々の動作を選択するツールを表示するエリアである。コマンドエリアＣＡに表示されるツールは、背景画像の種類により変化する。図４は、図３に示した設定処理（ステップＳ３５０）で、ホワイトボードの画像が背景画像として設定された場合のコマンドエリアＣＡの一例を示す。この場合には、５種類のツールを表示するツールエリアＥＣの他、画像の拡大・縮小を調整するスライドバーＳＢ、表示する画像を選択するセレクタＳＬなどが表示される。ホワイトボードの画像が設定されている場合、ツールエリアＥＣには、左からペンツール６１、マーカツール６２、消しゴムツール６３、ドラッグツール６４、キャプチャツール６５が表示されている。これらのツールは、画像の描画や編集に用いられる。選択されたツールは、画像の濃淡が反転される。図４では、ドラッグツール６４が選択された状態となっている。
【００３３】
ドラッグツール６４は、ウエブブラウザ２４の描画エリアＤＡに描画された個別画像としての画像ＡＷを移動する際に用いるツールである。このドラッグツール６４が選択されていると、マウスポインタは、掌の形になり、既に描画された画像ＡＷをドラッグアンドドロップすることができる。
【００３４】
画像ＡＷの描画・生成は、ツールエリアＥＣ内のペンツール６１を選択して行なわれる。ペンツール６１を選択すると、図５に示すように、コマンドエリアＣＡの上部にオプションエリアＯＡが表示される。ペンツール６１を選択した場合は、オプションエリアＯＡには、描画する線の色を選択するカラーシンボルＣＳと、描画する線の太さを選択するペンシンボルＰＳとが、表示される。もとより、選択肢は更に多数であっても良い。また色や太さ以外に、実線、点線といった線の種類や線分の端部の矢印の有無や形状などを選択できるシンボルが表示されてもよい。ペンツール６１を選択した状態で、描画エリアＤＡでマウス１８をドラッグすると、その軌跡に沿って画像ＡＷが生成され。生成された画像ＡＷは、背景画像と重畳された状態で表示される。
【００３５】
マーカツール６２は、幅広のマーキングを行なうツールである。このツールは、背景画像の上の所望の箇所をマーキングする場合に用いられる。マーカツール６２を選択すると、ペンツール６１と同様に、オプションエリアＯＡにマーカ用のカラーシンボルＣＳとペンシンボルＰＳとが表示される。マーカの色および線幅を選択して、描画エリアＤＡ上の所望の場所で、マウス１８をドラッグすると、ドラックした範囲が、選択された色および幅の線でマーキングされる。マーカツール６２がペンツール６１と異なるのは、マーカツール６２では、マーキングされた線分の色がなんであれ、背景画像が透けて見えるのに対して、ペンツール６１では描画された線分の部分は背景画像が見えないことである。
【００３６】
ペンツール６１やマーカツール６２により描画されたものは、消しゴムツール６３により消すことができる。消しゴムツール６３が選択されると、オプションエリアＯＡには、画像を１つずつ消去するモードを選択するためのシンボルと、描画エリアＤＡに表示された全ての画像ＡＷを一括して消去するモードを選択するシンボルとが表示される。すべての画像ＡＷを一括で消去するモードを選択した場合には、直ちに描画エリアＤＡに表示されていた全ての画像ＡＷが消去される。他方画像を１つずつ消去するモードを選択すると、マウスポインタは消しゴムの形に変化し、このマウスポインタを描画エリアＤＡに表示されている画像ＡＷの上でクリックすると、画像ＡＷが消去される。
【００３７】
次にキャプチャツール６５について説明する。キャプチャツール６５は、描画エリアＤＡの画像、つまり背景画像に画像ＡＷが重畳された画像をキャプチャするツールである。キャプチャツール６５を選択すると、その時点で、描画エリアＤＡに表示されている全画像、つまり背景画像と画像ＡＷとを一枚の画像として、予め定めた所定のフォルダに保存する。なお、保存先のフォルダおよびＪＰＥＧかＰＮＧかといったファイル形式については、予め設定しておくようにしてもよいし、キャプチャツール６５を選択した時点で、ダイアローグボックスが開き、指定するようにしてもよい。保存されるキャプチャ画像の名称は、ダイアローグボックスが開く場合には、個別に指定可能である。ダイアローグボックスを開くことなく、予め定めたフォルダに保存する場合には、予め定めた規則に従うファィル名とすることができる。例えば、キャプチャツール６５を選択した日時をファイル名としてもよい。キャプチャツール６５を選択した日時が同一の場合には、日時の後に連番を付けるようにすればよい。
【００３８】
コマンドエリアＣＡに表示されるスライドバーＳＢは、画面の拡大率を調整するインタフェースである。スライドバーＳＢのつまみをマウスポインタでドラッグすることにより、描画エリアＤＡの拡大率を調整することができる。このスライドバーＳＢの右側には、セレクタＳＬが表示されている。セレクタＳＬはポップアップメニューの形式で準備されている。既に図３を用いて説明したように、資料提示システム１００を起動した際には、撮像装置４０が接続されている場合に、ビデオカメラ４１が撮像した映像がウエブブラウザ２４の描画エリアＤＡの背景画像として選択される（図３、ステップＳ３１０）。撮像装置４０が接続されていない場合には、カードリーダ１９にメモリカードＳＤが装着されているかを判断し、メモリカードＳＤが装着されている場合には、メモリカードＳＤに記憶されたコンテンツを背景画像として設定する（ステップＳ）３４０）。撮像装置４０もメモリカードＳＤも検出できなかった場合には、ホワイトボードの画像が背景画像として選択され、設定される（ステップＳ３５０）。これは、資料提示システム１００を起動した場合の設定であるが、その後、撮像装置４０を接続した場合などには、セレクタＳＬのポップアップメニューを用いて、表示される背景画像を切換えることができる。
【００３９】
図４は、ホワイトボードの画像が背景に設定された場合のコマンドエリアＣＡを例示しているが、撮像装置４０のビデオカメラ４１により撮像されている映像が背景画像として表示されている場合には、コマンドエリアＣＡのツールエリアＥＣには、上述したペンツール６１ないしキャプチャツール６５に加えて、録画ツールや画像回転ツール、更には一時停止ツールなども表示される。録画ツールは、静止画像をキャプチャする機能と同様に、ウエブブラウザ２４の描画エリアＤＡの様子を動画としてキャプチャし保存する機能である。また、画像回転機能は、ＤＡに表示されている背景画像を９０度単位、または１８０度単位で回転する機能である。更に、一時停止機能は、ビデオカメラ４１からの画像は、リアルタイムに撮像されている映像であるところ、これを、一時停止ツールが選択されたタイミングで静止画像としてキャプチャし、背景画像とする機能である。
【００４０】
また、メモリカードＳＤ内のコンテンツが表示されている場合には、ツールエリアＥＣには、上述したペンツール６１ないしキャプチャツール６５に加えて、画像回転ツール、および一時停止ツールが表示される。
【００４１】
以上説明した第１実施形態の資料提示システム１００では、資料提示システム１００を利用するのに、コンピュータ１０側では汎用のウエブブラウザ２４を起動し、予め定めたＵＲＬにアクセスするだけで、画像の表示や描画を行ないつつ、資料画像を提示することができる。つまり、この資料提示システム１００では、コンピュータ１０に専用ソフトをインストールする必要がない。使用者は、単にウエブブラウザ２４を用いて特定のＵＲＬにアクセスするだけで、資料提示用の各種機能を利用可能となる。
【００４２】
従って、この資料提示システム１００では、背景画像の取得を撮像装置４０に限る必要がなく、撮像装置４０が接続されていない状態でも利用可能である。このため、撮像装置４０側に専用のアプリケーションソフトウェア５２を用意するという必要もない。しかも、撮像装置４０やメモリカードＳＤが接続されていなければ、自動的にホワイトボードとして画像が表示され、あたかもホワイトボードを背景として、画像ＡＷを書き込んで、資料として提示するといった使い方が可能となる。
【００４３】
更に、この資料提示システム１００では、プロジェクタ３０が接続されていれば、ウエブブラウザ２４の少なくとも描画エリアＤＡを、プロジェクタ３０に全画面表示するので、資料提示システム１００にプロジェクタ３０などの画像表示装置を加えれば、提示される資料を多人数で共有することが容易に可能となる。
【００４４】
資料提示システム１００としてのアプリケーションソフトウェア５２は、ウエブサーバ５０側に置いておけば、ネットワークＮＷを解して接続されたコンピュータ１０のウエブブラウザ２４からは、このアプリケーションソフトウェア５２を呼び出すＵＲＬにアクセスするだけでよく、アプリケーションソフトウェア５２の一元的な管理が可能となる。ネットワークＮＷが社内のイントラネットであれば、社内のサーバ５０にアプリケーションソフトウェア５２をおけばよく、機能を追加したりすれば、イントラネットに接続されたコンピュータ１０を用いた資料提示システム１００で、直ぐにこうした新たな機能が使用可能となる。ネットワークＮＷがインターネットであれば、同様に、しかも更に多数の使用者の利便性を高めることができる。もとよりネットワークＮＷを介してウエブブラウザ２４がアプリケーションソフトウェア５２を利用する際に、ＩＤとパスワードを用いた認証を必要とするようにし、セキュリティを確保することも望ましい。
【００４５】
上記実施形態では、資料提示システム１００は、背景画像として、撮像装置４０のビデオカメラ４１が撮像した映像、メモリカードＳＤに保存されたコンテンツ、両者がない場合はホワイトボードとしての画像をこの順の優先順位で表示するものとしたが、背景画像としてどのような画像を表示するかは、これに限定されない。例えば図６に示すように、セレクタＳＬのポップアップメニューが選択されたとき（ステップＳ４００）、選択肢として、ビデオカメラ、ウエブ、保存画像、ホワイトボードの４つを表示し、これらのうちのいずれが選択されるかによって（ステップＳ４１０）、背景画像を設定するようにしてもよい。
【００４６】
ビデオカメラが選択された場合には、撮像装置４０のビデオカメラ４１が撮像している映像を入力し（ステップＳ４２０）、ウエブが選択された場合には、ネットワークＮＷを介してウエブサーバから背景画像を取得すればよい（ステップＳ４３０）。背景画像は、資料提示システム１００や撮像装置４０を製造あるいは販売するメーカが準備してもよいし、この資料提示システム１００が特定の会社や学校、公民館などの施設で用いられる場合には、そうした施設が自らのウエブサーバに用意してもよい。こうすれば、背景画像の著作権についての取扱いや一元管理が容易になる。これら、背景画像を提供する構成は、いずれも画像取得部に相当する。
【００４７】
保存画像が選択された場合には、これまでに保存された画像を取得する（ステップＳ４４０）。上述したように、キャプチャツール６５や録画ツールが選択された場合には、ウエブブラウザ２４の描画エリアＤＡに表示されていた画像や映像がキャプチャされ、所定のフォルダに保存されるので、こうした保存画像を読み出して表示させることは容易である。保存画像の表示は、何度も同じ資料提示を行なう場合や、例えば教師が前もって準備した資料を生徒に見せると言った場合にも有効である。
【００４８】
ホワイトボードが選択された場合には、ホワイトボードとしての画像を表示するため、特に新たな画像の取得は行なわない。上述した各処理の後、表示画像を確定し、実際にウエブブラウザ２４の描画エリアＤＡに表示する（ステップＳ４５０）。以上の処理の後、「ＮＥＸＴ」に抜けて、図６の処理を終了する。
【００４９】
Ｂ．第２実施形態：
次に、第２実施形態として、コンピュータ１０に、ウエブブラウザ２４がアクセスするウエブサーバのアドレスを自動取得させるアドレス取得部を備えた構成について説明する。第２実施形態の資料提示システム１００は、第１実施形態と同様のハードウェア構成を備えるので、装置構成についての説明は省略する。第２実施形態の資料提示システム１００は、図２に示した処理を、コンピュータ１０側およびサーバ５０側で実行する。図７に示した処理は、図２におけるステップＳ１００，Ｓ１１０に代えて、ステップＳ１０２ないしＳ１１５を実行する点で相違する。第２実施形態の資料提示システム１００は、この他、撮像装置４０にＵＳＢメモリと二次元コードを記載したカードが付属している点で、第１実施形態と相違するが、他は同一である。
【００５０】
第２実施形態の資料提示システム１００では、コンピュータ１０に撮像装置４０やプロジェクタ３０を接続し、撮像装置４０に付属していたカードを撮像装置４０の撮像エリアに置き、撮像装置４０に付属していたＵＳＢメモリをコンピュータ１０の入出力部１６に設けられたＵＳＢポートに装着する。これにより、図７に示したコンピュータ側処理を起動する（ステップＳ１０２）。これは、コンピュータ１０で動作しているＯＳがウィンドウズ（商標）であれば、ＵＳＢメモリに、「autoexec.bat」といった自動起動用のプログラムをルートに保存しておくことで実行可能である。他のＯＳであっても、例えばリナックス（商標）やＭａｃＯＳ（商標）でも、同様に、ＵＳＢメモリに保存した特定のプログラムを自動起動する仕組みが存在するので、他のＯＳでは、それらの仕組みを利用すればよい。
【００５１】
ＵＳＢメモリの装着によりプログラムが自動起動すると、撮像装置４０により撮像装置４０の撮像エリアに置いたカードを撮像する（ステップＳ１０４）。撮像装置４０に付属していたカードには二次元コードが記載されている。そこで、コンピュータ１０は、撮像したこの二次元コードを画像認識し、この二次元コードから専用ＵＲＬを取得する（ステップＳ１０６）。こうした二次元コードとしては、ＱＲコード（商標）などが知られているが、それ以外の二次元コードでも差し支えない。画像認識の能力が十分にあれば、二次元コードに限らず、直接ＵＲＬをカードに記載しておき、これを読取ってもよい。ステップＳ１０４，Ｓ１０６は、ＵＳＢメモリから自動起動したプログラムによる処理なので、読み取り方は、独自の手法であっても差し支えない。
【００５２】
コンピュータ１０は、ウエブブラウザ２４を起動して、取得した専用ＵＲＬにアクセスする（ステップＳ１１５）。以後の処理は、第１実施形態と同様である。かかる第２実施形態の資料提示システム１００では、撮像装置４０に付属のＵＳＢメモリをコンピュータ１０の入出力部１６に装着するだけで、専用ＵＲＬを撮像装置４０を用いて取得し、ウエブブラウザ２４を起動して、専用ＵＲＬにアクセスし、専用のアプリケーションソフトウェア５２を起動し、画像の入力・編集・保存と言った一連の資料提示に係わる処理を行なうことができる。従って、撮像装置４０を購入した使用者は、アプリケーションソフトウェアをコンピュータ１０にインストールする必要がなく、更に、専用のＵＲＬをウエブブラウザ２４の入力バーに打込む必要もない。従って、特別な知識なしで資料提示を行なうことができる。
【００５３】
本実施形態では、撮像装置４０に付属するＵＳＢメモリとアプリケーションソフトウェア５２を起動する専用ＵＲＬに対応する二次元コードを記載したカードとを利用して、専用ＵＲＬにアクセスさせている。もともと付属のＵＳＢメモリを用いるので、最初からＵＳＢメモリに専用のＵＲＬをウエブブラウザ２４にアクセスさせるようにプログラムしておくことも可能である。他方、本実施形態のように、ＵＳＢメモリと二次元コードを記載したカードとを分離しておくと、専用ＵＲＬが例えば撮像装置４０の機種毎に相違する場合や、資料提示システム１００として用いるアプリケーションソフトウェア５２が複数用意されている場合など、柔軟に対応することができる。
【００５４】
後者の例としては、例えば、サーバ５０側に教育用の専用のサービスが用意されている場合が考えられる。高校や大学、あるいは塾などの教育機関毎に専用のアカウントが用意されるサービスとして、例えば「Google for Education」（商標）などがある。こうしたサービスを用いる場合には、専用ＵＲＬも教育機関毎に用意されるので、これをカードなど、自動起動するプログラムとは別に用意しておくと、教育機関毎に柔軟に対応することができる。撮像装置４０を販売する者は、購入者が学校であれば、専用のカードを撮像装置４０と一緒に用意して、提供すればよい。
【００５５】
こうしたサービスは、いわゆるクラウドサービスの一種であり、様々なクラウドサービスが提供されている。クラウドサービス側に例えばウエブブラウザ２４を介して使用者がアプリケーションソフトウェア５２のどのよう機能を利用したかといった情報を収集できるものが知られている（例えば、「Google Cloud Platform」（商標））。こうしたサービスを利用して、使用者が、コマンドエリアＣＡで多用した機能を最も操作しやすい箇所に配置するといった対応をとることも可能である。
【００５６】
以上、いくつかの実施形態について説明したが、資料提示システムは、様々な形態で実現可能である。例えば、資料提示方法や、その方法をコンピュータで実現するプログラムとしても実施可能である。また、コンピュータに代えて、タブレットやスマートホンを用いることも可能である。また、ポインティングデバイスとしては、マウス１８に代えて、タッチパネルやトラックパッドなどを用いてもよい。タブレットやスマートホンは、一般に、カメラとタッチパネルを備え、ネットワークに接続可能なので、こうしたタブレット等を用いれば、タブレット等単体で、上述した実施形態のコンピュータ１０，撮像装置４０，画像表示部２０，マウス１８，通信部１４を代替することができる。
【００５７】
上記各実施形態において、ハードウェアによって実現されていた構成の一部をソフトウェアに置き換えるようにしてもよい。ソフトウェアによって実現されていた構成の少なくとも一部は、ディスクリートな回路構成により実現することも可能である。また、本開示の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。すなわち、「コンピュータ読み取り可能な記録媒体」とは、データパケットを一時的ではなく固定可能な任意の記録媒体を含む広い意味を有している。
【００５８】
本開示は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５９】
１０…コンピュータ、１１…ＣＰＵ、１２…メモリ、１４…通信部、１６…入出力部、１８…マウス、１９…カードリーダ、２０…画像表示部、２４…ウエブブラウザ、３０…プロジェクタ、４０…撮像装置、４１…ビデオカメラ、５０…ウエブサーバ、５２…アプリケーションソフトウェア、６１…ペンツール、６２…マーカツール、６３…消し消しゴムツール、６４…ドラッグツール、６５…キャプチャツール、１００…資料提示システム、ＡＷ…画像、ＣＡ…コマンドエリア、ＣＳ…カラーシンボル、ＤＡ…描画エリア、ＥＣ…ツールエリア、ＮＷ…ネットワーク、ＯＡ…オプションエリア、ＰＳ…ペンシンボル、ＳＢ…スライドバー、ＳＤ…メモリカード、ＳＬ…セレクタ
【図１】
2020088548.tif 000003
【図２】
2020088548.tif 000004
【図３】
2020088548.tif 000005
【図４】
2020088548.tif 000006
【図５】
2020088548.tif 000007
【図６】
2020088548.tif 000008
【図７】
2020088548.tif 000009